(57)【要約】【課題】吸殻の搬送距離が長くても搬送部材を円滑に回動させて吸殻を安定的に回収する。【解決手段】皿底に小孔が形成された複数のタバコの灰皿を所定間隔おいて直線状に配置し、同灰皿の下方に長い回収路４を灰皿の配置方向に沿って設け、同回収路４内に灰皿の小孔から落下した吸殻を搬送する無端の搬送部材６を設け、同搬送部材６の終端部に搬送された吸殻を下方で回収する回収箱５を設けたタバコの吸殻回収装置において、前記搬送部材６を金属製の無端チェーンで構成し、しかも搬送部材６の終端部に駆動スプロケット４ｇを配設し、同駆動スプロケット４ｇから搬送部材６の往路を下方へ引き出した後復路へ移行する構造にした。【選択図】          図３
2004344212.tif 000002
【特許請求の範囲】
【請求項１】
皿底に小孔が形成された複数のタバコの灰皿を所定間隔おいて直線状に配置し、同灰皿の下方に長い回収路を灰皿の配置方向に沿って設け、同回収路内に灰皿の小孔から落下した吸殻を搬送する無端の搬送部材を設け、同搬送部材の終端部に搬送された吸殻を下方へ落下させて回収する回収箱を設けたタバコの吸殻回収装置において、前記搬送部材を金属製の無端チェーンで構成し、搬送部材の伸びを抑制して円滑に回動させて吸殻を搬送できるようにしたことを特徴とするタバコの吸殻回収装置。
【請求項２】
搬送部材の往路の終端部に駆動スプロケットを配設した請求項１記載のタバコの吸殻回収装置。
【請求項３】
搬送部材が、その終端部の駆動スプロケットから往路の無端チェーンを下方へ引き出した後復路へ移行するようにした構造である請求項２記載のタバコの吸殻回収装置。
【請求項４】
搬送部材の駆動スプロケット下方の復路側の無端チェーンを緊張させる付勢手段を設けた請求項１〜３いずれか記載のタバコの吸殻回収装置。
【請求項５】
回収路の路底に搬送部材の往路を配置し、回収路の上部に搬送部材の復路を配置した請求項１〜４いずれか記載のタバコの吸殻回収装置。
【請求項６】
複数の遊技機が並設された遊技設備に請求項１〜５いずれか記載のタバコの吸殻回収装置を設けた遊技設備のタバコの吸殻回収装置。
【発明の詳細な説明】
【０００１】
【発明の属する技術分野】
本発明は、遊技場，食堂，会議室等の喫煙場所においてタバコの吸殻を自動的に回収するタバコの吸殻回収装置に関し、詳しくは吸殻を搬送する搬送部材が長い距離を回動するものである場合でも円滑に搬送して吸殻を回収できるようにする技術に関する。
【０００２】
【従来の技術】
従来のタバコの吸殻回収装置としては、図１０に示すように皿底に小孔が形成されたタバコの灰皿を複数並設し、同灰皿の下方に長い回収路１４を設け、同回収路１４内に各灰皿の小孔から落下した吸殻を搬送して下方へ誘導する無端の搬送部材１６を設け、同搬送部材１６の終端部に搬送された吸殻を下方で回収する回収箱１５を設けた構造のものが知られている。
【０００３】
ところで、前記構成のタバコの吸殻回収装置は搬送部材１６としてゴム製のベルト材が一般的に用いられている。従って、搬送距離が長い場合は伸びによりたわみが生じて円滑に回動できない問題があり、たわみを抑制するためにバネ等の付勢手段１９で搬送部材１６を緊張させる必要がありコストがかかっていた。また、駆動スプロケット１４ｇは搬送部材１６の往路を下方へ引き出した位置に軸支しているから、搬送部材１６が従動ローラ１４ｆとの摩擦で伸びがより大きく生じて長距離の回動が不安定になる問題があった。さらに、ベルト材は耐火性に劣るから消火水を貯水する必要があり、構造が複雑になる問題もあった。
【０００４】
【発明が解決しようとする課題】
本発明が解決しようとする課題は、従来のこれらの問題点を解消し、吸殻を搬送する搬送部材が長い距離を回動するものである場合でも円滑に回動して吸殻を搬送でき、しかも消火水を必要とせず耐火性に優れ、シンプルな構造で低コストにて実施できるタバコの吸殻回収装置を提供することにある。
【０００５】
【課題を解決するための手段】
かかる課題を解決した本発明の構成は、
１）  皿底に小孔が形成された複数のタバコの灰皿を所定間隔おいて直線状に配置し、同灰皿の下方に長い回収路を灰皿の配置方向に沿って設け、同回収路内に灰皿の小孔から落下した吸殻を搬送する無端の搬送部材を設け、同搬送部材の終端部に搬送された吸殻を下方へ落下させて回収する回収箱を設けたタバコの吸殻回収装置において、前記搬送部材を金属製の無端チェーンで構成し、搬送部材の伸びを抑制して円滑に回動させて吸殻を搬送できるようにしたことを特徴とするタバコの吸殻回収装置
２）  搬送部材の往路の終端部に駆動スプロケットを配設した前記１）記載のタバコの吸殻回収装置
３）  搬送部材が、その終端部の駆動スプロケットから往路の無端チェーンを下方へ引き出した後復路へ移行するようにした構造である前記２）記載のタバコの吸殻回収装置
４）  搬送部材の駆動スプロケット下方の復路側の無端チェーンを緊張させる付勢手段を設けた前記１）〜３）いずれか記載のタバコの吸殻回収装置
５）  回収路の路底に搬送部材の往路を配置し、回収路の上部に搬送部材の復路を配置した前記１）〜４）いずれか記載のタバコの吸殻回収装置
６）  複数の遊技機が並設された遊技設備に前記１）〜５）いずれか記載のタバコの吸殻回収装置を設けた遊技設備のタバコの吸殻回収装置
にある。
【０００６】
【作用】
本発明によれば、灰皿にタバコの吸殻が捨てられると小孔から下方へ落下し、搬送部材で搬送されて回収箱へ回収される。搬送部材は金属製の無端チェーンで構成されているから、従来のベルト材と比較して伸びがほとんどなくたわみを抑制し、搬送距離が長くても円滑に回動して吸殻が搬送され、往路の始端側の従動ローラに対して無端チェーンを緊張させるためのバネ等の付勢手段を特段必要としない。また、搬送部材は金属製であるから耐火性に優れて消火水を必要とせず、熱伝導性に優れるから吸殻の熱を素早く吸収して早期に消火される。
【０００７】
【発明の実施の形態】
本発明では、搬送部材がその終端部の駆動スプロケットから往路の無端チェーンを下方へ引き出した後復路へ移行するような構造にすると、駆動スプロケットと搬送部材との掛止距離が短くても大きい駆動力を無端チェーンへ確実に伝達して円滑に回動できる。
【０００８】
また、搬送部材の駆動スプロケット下方の復路側の無端チェーンに対してバネ等により軽く下方へ引張すると、無端チェーンを２条設けた場合、チェーン同士の絡みを防止できて好ましい。さらに、回収路の路底に搬送部材の往路を配置し、回収路の上部に搬送部材の復路を配置すると、吸殻の落下の支障にならず好ましい。以下、本発明の実施例を図面に基づいて具体的に説明する。
【０００９】
【実施例】
図１〜８に示す実施例は、複数台並設されたパチンコ台群に本発明のタバコの吸殻回収装置を取り付けた例である。図１は実施例のタバコの吸殻回収装置の取り付け状態を示す斜視図、図２は実施例のタバコの吸殻回収装置の縦断面図、図３は実施例のタバコの吸殻回収装置の終端部の斜視図、図４は実施例のタバコの吸殻回収装置の始端部の斜視図、図５は図２のＡ−Ａ断面図、図６〜８は実施例の吸殻の回収を示す説明図である。
【００１０】
本実施例のタバコの吸殻回収装置は、図１〜５に示すように複数台並設されたパチンコ台１の下方に細長のテーブル２を取り付け、皿底に小孔３ａが開口された灰皿３をテーブル２のパチンコ台１毎の位置に取り付け、中央長手に小突起４ｉを備えた深底の往路小溝４ａとその両側に浅底の復路小溝４ｂが形成された回収路４を灰皿３の下方にテーブル２の長手に沿って取り付け、回収路４の路端に路端壁４ｃを形成してその下方に回収箱５を脱着自在に取り付けている。
【００１１】
回収路４の始端部と路端壁４ｃと回収箱５直上には左右一対の従動ローラ４ｄ，４ｅ，１体の従動ローラ４ｆを軸支するとともに、従動ローラ４ｅ，４ｆ間の高さの位置に左右一対の駆動スプロケット４ｇを軸支し、従動ローラ４ｄ・駆動スプロケット４ｇ・従動ローラ４ｆ間に金属製の無端チェーンからなる２条の搬送部材６の往路６ａを往路小溝４ａへ嵌入させて掛架し、従動ローラ４ｄ，４ｅ，４ｆ間に搬送部材６の復路６ｂを復路小溝４ｂへ嵌入させて掛架している。
【００１２】
回収路４の下部にはモータ７を取り付け、モータ７の出力軸に軸着した駆動歯車７ａと駆動スプロケット４ｇに軸着した従動歯車４ｈ間に駆動チェーン８を掛架し、各従動ローラ４ｆを下方へ付勢して搬送部材６を緊張する左右一対のバネ９を取り付けている。Ｔはタバコの吸殻である。
【００１３】
本実施例では、モータ７を作動させると駆動力が駆動スプロケット４ｇに伝達され、駆動スプロケット４ｇが搬送部材６の往路６ａを路端壁４ｃ側へ引張して回動させる。図５に示すようにパチンコ台１の遊技者が吸殻Ｔを灰皿３に捨てると、小孔３ａを通じて搬送部材６の往路小溝４ａ内の往路６ａ上に落下し、搬送部材６で路端壁４ｃ側へ搬送されて回収箱５へ落下して回収される。
【００１４】
ここで、本実施例では搬送部材６として金属製の無端チェーンを用いているから、従来のベルト材のように伸びはほとんど発生せずたわみが極めて少ない。従って、例えば搬送距離が片道１０〜１５ｍ等長い場合でも従来では往路の伸びで復路がたるんで円滑に回動されなかったが、本実施例ではそのようなことがなく円滑に回動して吸殻Ｔを搬送できる。
【００１５】
また、無端チェーン６がその終端部の駆動スプロケット４ｇから往路６ａを下方へ引き出した後復路６ｂへ移行するような構造にしたから、駆動スプロケット４ｇと搬送部材６の掛止距離が短くても大きい駆動力を搬送部材６へ確実に伝達してより円滑に回動できる。
【００１６】
さらに、搬送部材６が金属製で構成されているから耐火性に優れ、消火水を特段必要とせず、また熱伝導性に優れるから吸殻Ｔの熱を素早く吸収して早期に消火される。従って、積極的に消火させるものを必要としないから装置の構造をシンプルにして低コストで実施することが可能となる。
【００１７】
図９に示すのは、実施例のタバコの吸殻回収装置の他の例である。図９は実施例の他の例のタバコの吸殻回収装置の終端部の斜視図である。実施例の他の例では、図９に示すように回収箱５直上の従動ローラ４ｆとバネ９を省略して搬送部材６の終端部を下方へたるませた構成としている。
【００１８】
この構成でも駆動スプロケット４ｇが搬送部材６と確実に掛止して滑りがないから、駆動スプロケット４ｇ下方の搬送部材６のたるみとは関係なく円滑に回動でき、より部品を削減して低コスト化を図ることができる。その他、符号、構成は実施例と同じである。
【００１９】
【発明の効果】
以上説明したように、本発明によれば搬送部材として金属製の無端チェーンを採用したから、吸殻を搬送する搬送部材が長い距離を回動するものである場合でも円滑に安定的に回動して吸殻を搬送でき、しかも消火水を必要とせず耐火性に優れ、従動ローラに対する付勢手段を必要としないからシンプルな構造で低コストにて実施できる。
【図面の簡単な説明】
【図１】実施例のタバコの吸殻回収装置の取り付け状態を示す斜視図である。
【図２】実施例のタバコの吸殻回収装置の縦断面図である。
【図３】実施例のタバコの吸殻回収装置の終端部の斜視図である。
【図４】実施例のタバコの吸殻回収装置の始端部の斜視図である。
【図５】図２のＡ−Ａ断面図である。
【図６】実施例の吸殻の回収を示す説明図である。
【図７】実施例の吸殻の回収を示す説明図である。
【図８】実施例の吸殻の回収を示す説明図である。
【図９】実施例の他の例のタバコの吸殻回収装置の終端部の斜視図である。
【図１０】従来のタバコの吸殻回収装置の縦断面図である。
【符号の説明】
１  パチンコ台
２  テーブル
３  灰皿
３ａ  小孔
４  回収路
４ａ  往路小溝
４ｂ  復路小溝
４ｃ  路端壁
４ｄ，４ｅ，４ｆ  従動ローラ
４ｇ  駆動スプロケット
４ｈ  従動歯車
４ｉ  小突起
５  回収箱
６  搬送部材
６ａ  往路
６ｂ  復路
７  モータ
７ａ  駆動歯車
８  駆動チェーン
９  バネ
１４  回収路
１４ｄ，１４ｅ，１４ｆ  従動ローラ
１４ｇ  駆動スプロケット
１５  回収箱
１６  搬送部材
１７  モータ
１８  駆動チェーン
１９  バネ
Ｔ  吸殻
【図１】
2004344212.tif 000003
【図２】
2004344212.tif 000004
【図３】
2004344212.tif 000005
【図４】
2004344212.tif 000006
【図５】
2004344212.tif 000007
【図６】
2004344212.tif 000008
【図７】
2004344212.tif 000009
【図８】
2004344212.tif 000010
【図９】
2004344212.tif 000011
【図１０】
2004344212.tif 000012